【事件の表示】
　特許第３４４０６４９号「ドアホン装置」の請求項３に係る特許に対する特許異議の申立てについて、次のとおり決定する。
【結　論】
　訂正を認める。
　特許第３４４０６４９号の請求項３に係る特許を維持する。
【理　由】
第１．手続の経緯
　特許第３４４０６４９号の発明は、平成７年８月３１日に出願されたものであって、平成１５年６月２０日にその特許権の設定登録がなされ、その後、高橋清文により特許異議の申立てがなされ、平成１６年４月２０日付けで取消理由が通知され、その指定期間内である平成１６年７月９日に訂正請求がなされたものである。
　
第２．訂正の適否について
１．訂正内容
（１）訂正事項ａ
　特許請求の範囲の請求項３の記載について、「子機がカメラ付きか否かを判別するカメラ有無判別回路を付加し、」とあるのを、
「カメラ付き子機またはカメラ無し子機のいずれもが接続可能な端子を介して子機から送信されてくる多重信号を多重分離回路によって分離して得られるＦＭ変調信号を入力され該ＦＭ変調信号の搬送波成分を検出するカメラ有無判別回路を付加し、」と訂正する。
（２）訂正事項ｂ
　本件特許明細書の段落番号【００１１】の記載について、「子機がカメラ付きか否かを判別するカメラ有無判別回路を付加し、」とあるのを、
「カメラ付き子機またはカメラ無し子機のいずれもが接続可能な端子を介して子機から送信されてくる多重信号を多重分離回路によって分離して得られるＦＭ変調信号を入力され該ＦＭ変調信号の搬送波成分を検出するカメラ有無判別回路を付加し、」と訂正する。
　
２．訂正の目的の適否、新規事項の有無及び拡張・変更の存否
（１）訂正事項ａについて
　訂正事項ａに関して、願書に添付した明細書には「図１６は、従来例に係る親機２のブロック図である。親機２は、電源回路２０１と、多重分離回路２０２と、・・・端子Ｔとを有して成る。・・・多重分離回路２０２は、カメラ付き子機１ａ及びカメラ無し子機１ｂから多重化して送信されてきた信号を分離して、各々の回路に送信するとともに、ケーブルＣａ１，Ｃａ２中の信号に、音声送受話回路２０５からの音声信号を多重化してカメラ付き子機１ａ及びカメラ無し１ｂに送信するものである。」（段落番号【０００５】）、「図４は、本発明の他の実施形態に係るドアホン装置の親機２を示すブロック図である。本実施例に係る親機２の構成は、従来例として図１６に示した親機２において、電源回路２０１と多重分離回路２０２との間に、・・・」（段落番号【００２４】）、「・・・なお、本実施形態に係る親機２の構成は、図４に示す親機２の構成と同じであり、・・・」（段落番号【００３２】）、及び「本実施形態においては、例えば、カメラ付き子機１ａから出力される映像信号がＦＭ変調の場合には、ＦＭ変調信号の搬送波成分をバンドパスフィルター２１１ｂで抽出し、ピーク検波回路２１１ｃにより映像信号の有無を検出することによりカメラ付き子機１ａか否かの判別がされ、」（段落番号【００３３】）の記載があり、そして、訂正事項ａの「カメラ付き子機またはカメラ無し子機のいずれもが接続可能な端子を介して子機から送信されてくる多重信号を多重分離回路によって分離して得られるＦＭ変調信号を入力され該ＦＭ変調信号の搬送波成分を検出するカメラ有無判別回路」の事項は、補正前の発明を特定するために必要な事項である「子機がカメラ付きか否かを判別するカメラ有無判別回路」について技術的に限定するものと認められるから、この訂正事項ａは、願書に添付された明細書又は図面に記載した事項の範囲内において、特許請求の範囲の記載の減縮を目的とするものであって、新規事項の追加に該当せず、実質上特許請求の範囲を拡張し、変更するものではない。
（２）訂正事項ｂについて
　上記訂正事項ｂは、特許請求の範囲と発明の詳細な説明が整合するように、発明の詳細な説明の記載を、特許請求の範囲の記載に合わせたに過ぎないものであるから、明りょうでない記載の釈明を目的とするものであって、新規事項の追加に該当せず、実質上特許請求の範囲を拡張し、変更するものではない。
　
３．むすび
　以上のとおりであるから、本件訂正請求は特許法第１２０条の４第２項及び同条第３項において準用する特許法第１２６条第２項及び第３項の規定に適合するので、当該訂正を認める。
　
第３．特許異議申立てについて
１．特許異議申立て理由の概要
　特許異議申立人高橋清文は、特許第３４４０６４９号の請求項３に係る発明の特許は特開平７−１７７４９６号公報（甲第１号証）及び特公平６−９５７６０号公報（甲第２号証）に記載された発明に基いて、その発明の属する技術分野における通常の知識を有する者が容易に発明をすることができたものであるから、特許法第１１３条第２号の規定により取り消されるべきものである旨主張する。
　
２．本件特許の請求項に係る発明
　上記第２．で説示したように上記訂正は認められるから、本件特許の請求項３に係る発明（以下、「本件特許発明」という。）は、その特許請求の範囲の請求項３に記載された次のとおりのものである。
「撮影した映像を表示する映像表示部と音声を入出力する音声入出力部とを備えて成る親機と、カメラ付き子機またはカメラ無し子機の少なくとも一方を有して成り、親機と子機との間で信号の送受信を行うドアホン装置において、前記映像表示部と音声入出力部とを備えた親機に、カメラ付き子機またはカメラ無し子機のいずれもが接続可能な端子を介して子機から送信されてくる多重信号を多重分離回路によって分離して得られるＦＭ変調信号を入力され該ＦＭ変調信号の搬送波成分を検出するカメラ有無判別回路を付加し、該カメラ有無判別回路の出力に基づいて前記映像表示部を動作させるようにしたドアホン装置であり、カメラ付き子機は、映像信号を変調してＦＭ変調信号として親機に送信し、親機は、前記カメラ有無判別回路において、子機から出力されるＦＭ変調信号の搬送波成分を検出することにより、子機がカメラ付きか否かを判別するようにしたことを特徴とするドアホン装置。」
　　
３．引用例に記載された発明
（１）取消理由で引用した刊行物（特開平７−１７７４９６号公報（甲第１号証）以下、「引用刊行物１」という。）には、図面とともに以下の記載がある。
　・「【産業上の利用分野】本発明は、テレビカメラを備えた複数の子機を通してモニタが可能で又、これら子機との通話が可能なテレビ通話装置に関する。」（２頁左欄１６行ないし１８行）、
　・「【実施例】以下、本発明によるテレビ通話装置の一実施例を図１を参照して詳述する。本発明によるテレビ通話装置は図１に示すように、カメラ付子機１及び２と、カメラなし子機３と、モニタ親機１０とを備え、各子機１、２及び３とモニタ親機１０は信号ラインＬを介して接続されている。１台のカメラ付子機１はモニタ親機１０と固定的に接続されている。他のカメラ付子機２及びカメラなし子機３は、モニタ親機１０に接続・取外し可能に設けられている。」（３頁左欄３２行ないし４０行）、
　・「【００１２】モニタ親機１０は、カメラ付子機１、２からの映像信号を処理する映像信号処理回路７１及び子機１〜３との間で通話を行う通話回路７２を有する親機回路７と、カメラ付子機１とカメラ付子機２とを切換えるスイッチ４と、カメラ付子機１とカメラなし子機３とを切換えるスイッチ５と、これら切換えスイッチ４、５及び親機回路７を制御する制御回路６とを備えている。親機回路７の通話回路７２はハンドセット８に、映像信号処理回路「７１はモニタテレビ９にそれぞれ接続されている。」（３頁左欄４１行ないし５０行）、
　・「【００１３】切換えスイッチ４の２つの端子は、それぞれカメラ付子機１、２との接続端子Ｔ１、Ｔ２に接続され、共通端子は映像処理回路７１及び切換えスイッチ５の一方の端子に接続されている。切換えスイッチ５の他方の端子はカメラなし子機３との接続端子Ｔ３に接続され、その共通端子は通話回路７２に接続されている。更にカメラ付子機２の接続端子Ｔ２とスイッチ４の端子との間の信号ライン及びカメラなし子機３の接続端子Ｔ３とスイッチ５の端子との間の信号ラインにはそれぞれ子機の接続状態を検出する接続状態検出回路１１、１２が設けられている。」（３頁右欄１行ないし１１行）、
　・「【００１４】これら信号ラインには、図示しない親機側の電源から子機に設置されたＬＥＤ表示灯に電力を供給するための電源ラインが重畳されている。従って、これら接続状態検出回路１１、１２は、この電源ラインに流れる電流（電圧）を検出することにより、接続状態を検出し検出信号Ｓ１、Ｓ２を制御回路６に出力する。接続状態検出回路１１、１２からの出力はそれぞれ制御回路６に入力され、制御回路６の動作モードを設定する。この動作モードは、本実施例の場合、１）カメラ付子機１のみが接続された１カメラ１子機モード、２）カメラ付子機１、２が接続された２カメラ２子機モード、３）カメラ付子機１とカメラなし子機３が接続された１カメラ２子機モード、４）カメラ付子機１、２及びカメラなし子機３が接続された２カメラ３子機モードの４つの動作モードから成り、検出信号Ｓ１、Ｓ２の有無の組合せにより設定、変更される。」（３頁右欄１２行ないし２７行）、
　・「【００１５】制御回路６はこれらの動作モードに応じて異なる制御を行う。即ち、制御回路６には操作スイッチ１３が備えられており、操作スイッチ１３の操作に応答して、設定された動作モードで切換えスイッチ４、５及び親機回路７を順次制御し、カメラ付子機１、２のいずれかをモニタするか、あるいは消画とするかを選択する。」（３頁右欄２８行ないし３４行）、
　・「【００１６】このような構成におけるテレビ通話装置の動作について図２を参照して説明する。カメラ付子機１のみが接続されており、他のカメラ付子機２及びカメラなし子機３が接続されていない１カメラ１子機モードでは、接続状態検出回路１１及び１２からの検出信号Ｓ１、Ｓ２はともに出力されていない状態（Ｓ１＝ＯＦＦ、Ｓ２＝ＯＦＦ）であり、初期状態では切換えスイッチ４はカメラ付子機１の接続端子Ｔ１と映像信号処理回路７１を接続し、スイッチ５はスイッチ４の共通端子と通話回路７２を接続している。従ってこの状態ではカメラ付子機１が親機回路７と接続されており、カメラ付子機１との通話及びモニタテレビ９によるモニタ表示が可能となっている。」（３頁右欄３５行ないし４７行）、
　・「【００１８】次にカメラ付子機２が追加接続されると、モニタ親機１０の図示しない電源からカメラ付子機２のＬＥＤに電流が供給され、ＬＥＤが点灯する。この電流を接続状態検出回路１１が検出すると、検出回路１１は検出信号を制御回路６に送出する。即ち、接続状態検出回路１１からの検出信号Ｓ１のみオンとなる（Ｓ１＝ＯＮ、Ｓ２＝ＯＦＦ）。制御回路６はこの検出信号の変化により動作が初期化されるとともに、２カメラ２子機モードに設定される。」（４頁左欄６行ないし１４行）、
　・「【００１９】このように２カメラ２子機モードにおいては、操作スイッチ１３の操作に対応してスイッチ４及び親機回路７が制御され、「カメラ付子機１」→「カメラ付子機２」→「消画」と順次切換え制御されることになる。次にカメラ付子機２の代りにカメラなし子機３が接続された状態では、カメラ付子機２のＬＥＤへの電流は供給されなくなり、カメラなし子機３のＬＥＤに電流が供給され、この電流を接続状態検出回路１２が検出する。即ち、検出接続状態検出回路１１からの検出信号Ｓ１がオフとなり接続状態検出回路１２からの検出信号Ｓ２がオンとなる（Ｓ１＝ＯＦＦ、Ｓ２＝ＯＮ）。この検出信号の変化により制御回路６は動作がリセットされるとともに１カメラ２子機モードに設定される。」（４頁左欄３０行ないし４２行）、
　・「【００２１】このように１カメラ２子機モードにおいては、操作スイッチ１３を操作することにより、制御回路６はスイッチ５及び親機回路７を制御して、カメラ付子機１又はカメラなし子機３のいずれかが親機回路７と接続状態となるように切換える。最後にカメラ付子機２及びカメラなし子機３がともに接続されたときには、２つの接続状態検出回路１１、１２がともに検出信号Ｓ１、Ｓ２を制御回路６に送出する。これにより制御回路６は動作が初期化されるとともに２カメラ３子機モードに切換えられる。この初期状態においては他のモードと同様に、スイッチ４は、カメラ付子機１の接続端子Ｔ１と映像信号処理回路７１を接続し、スイッチ５はスイッチ４の共通端子と通話回路７２を接続する。」（４頁右欄４行ないし１６行）、
　・「【００２３】この２カメラ３子機状態から、カメラ付子機２及び／又はカメラなし子機３が取外されたときにも、接続状態検出回路１１、１２からの検出信号Ｓ１、Ｓ２が変化するので、これにより制御回路６は動作モードを初期化するとともに、その検出信号に応じて動作モードの設定を変更し、以下設定された動作モードで上述したようにスイッチ４、５及び親機回路７を制御して、子機の切換え、モニタと消画の切換えを行う。」（４頁右欄３７行ないし４４行）、
　これらの記載によれば、引用刊行物１には、
「撮影した映像を表示するモニタテレビ９と音声を入出力するハンドセット８と、カメラ付子機１が接続される端子Ｔ１と、カメラ付子機２が接続可能な端子Ｔ２と、カメラなし子機３が接続可能な端子Ｔ３とを備えて成るモニタ親機１０と、モニタ親機１０と前記子機１ないし３との間で信号の送受信を行うテレビ通話装置において、
　前記モニタ親機１０に、端子Ｔ２にカメラ付子機２が接続されたことを検出する接続状態検出回路１１と、端子Ｔ３にカメラなし子機２が接続されたことを検出する接続状態検出回路１２を設けることにより、子機２、３が接続されたことを検出すようにしたテレビ通話装置。」の発明（以下、「引用刊行物１に記載された発明」という。）が開示されているものと認められる。
　
（２）取消理由で引用した刊行物（特公平６−９５７６０号公報（甲第２号証）以下、「引用刊行物２」という。）には、図面とともに以下の記載がある。
　・「［産業上の利用分野］
　この発明は、例えば主装置機能を有する親電話機を備えたボタン電話装置を用いて構成するテレビドアホン装置に関する。」（２頁左欄４行ないし７行）、
　・「【発明が解決しようとする課題】
　以上のようにして、テレビドアホン装置を構成することができるが、上記の構成では、カメラドアホン子機１０と親電話機２０とモニタ表示装置３０との間に映像線１と音声線２が別個に必要であるとともに、各種制御線３，４がそれぞれ別々に必要となり、さらに、モニタ表示装置３０内に、制御回路３２が必要になる。
　このため、テレビドアホン装置に設置する際の配線が煩雑であるとともに、高価格になる欠点があった。
　この発明は、以上の点に鑑み、配線の省電力化と低価格化を実現したテレビドアホン装置を提供することを目的とする。」（２頁右欄４２行ないし３頁左欄３行）
　・「【実施例】
　第１図は、この発明によるテレビドアホン装置の一実施例のブロック図で、１００はカメラドアホン子機、２００は親機としての主装置機能を有するボタン電話機からなる親電話機、３００はモニタ表示装置である。
　この例では、カメラドアホン子機１００から親電話機２００へ供給する上りの音声信号は、キャリア周波数が５．５ＭＨｚのＦＭ変調信号として伝送し、親電話機２００からカメラドアホン子機１００へ供給する下りの音声信号は、キャリア周波数が６．５ＭＨｚのＦＭ変調信号として伝送し、カメラドアホン子機１００からの映像信号は、これらＦＭ音声信号よりも低い帯域の信号として伝送する。
　カメラドアホン子機１００は、ビデオカメラ１０１と、カメラ回路１０２と、スピーカ１０３及びマイクロホン１０４と、スピーカアンプ１０５及びマイクアンプ１０６と、親電話機２００からのＦＭ音声信号をドアホン信号から抽出するためのバンドパスフィルタ１０７と、親電話機２００からのＦＭ音声信号を復調するためのＦＭ復調回路１０８と、カメラドアホン子機１００からのＦＭ音声信号を形成するためのＦＭ変調回路１０９と、親電話機２００からのＦＭ音声信号の有無を検出する下り音声信号検出回路１１０と、呼び出しボタン１１１と、オア回路１１２とからなる。
　このカメラドアホン子機１００のカメラ回路１０２からの映像信号とＦＭ変調回路１０９からのＦＭ音声信号は周波数多重されて、信号線５を介して親電話機２００及びモニタ表示装置３００に供給される。また、後述するように、親電話機２００からのＦＭ音声信号は、この信号線５を介してカメラドアホン子機１００に供給されるようにされており、この場合、カメラドアホン子機１００、親電話機２００及びモニタ表示装置３００間には、この信号線５のみで制御線は存在しない。
　親電話機２００は、局線６に接続される局線インターフェイス回路２０１と、音声スイッチ回路２０２と、この親電話機２００に接続される子電話機２２０との間の内線インターフェイス回路２０３と、この親電話機２００のハンドセット２１３との間に設けられる通話回路２０４と、制御回路２０５と、カメラドアホン子機１００からのＦＭ音声信号を信号線５を通じたドアホン信号から抽出するためのバンドパスフィルタ２０６と、カメラドアホン子機１００からのＦＭ音声信号を復調するためのＦＭ復調回路２０７と、この親電話機２００からの音声信号をＦＭ変調するためのＦＭ変調回路２０８と、ＦＭ復調回路２０７とＦＭ変調回路２０８とを音声スイッチ回路２０２に接続するための２線４線変換回路２０９と、信号線５を通じたドアホン信号からカメラドアホン子機１００からのＦＭ音声信号を検出するための上り音声信号検出回路２１０と、起動ボタン２１１と、待機ボタン２１２とを備えている。・・・モニタ表示装置３００は、信号線５を通じたドアホン信号から映像信号を抽出するためのローパスフィルタ３０１と、このローパスフィルタ３０１からの映像信号が供給される表示部３０２と、ローパスフィルタ３０１の出力から映像信号の有無を判別して、表示部３０２の起動制御を行う映像信号検出回路３０３とを備えている。」（３頁右欄６行ないし４頁左欄１３行）、
　・「信号線５を介してモニタ表示装置３００に供給されたドアホン信号のうち、映像信号は、ローパスフィルタ３０１により抽出され、表示部３０２に供給されるとともに、映像信号検出回路３０３に供給される。映像信号検出回路３０３では、例えば、映像信号中の同期信号を検出することにより、映像信号の有無を検出し、その検出出力により、映像信号有のとき、表示部３０２例えばＣＲＴや液晶ディスプレイを起動し続ける。こうして、表示部３０２にビデオカメラ１０１にて撮影した画像が表示される。」（４頁右欄４９行ないし５頁左欄７行）、
　・「また、映像信号と音声信号との多重方法は上記の例のように音声信号をＦＭ変調等の角度変調して映像信号の高域側にするのではなく、映像信号を角度変調して音声信号の高域側に変換するようにしてもよい。また、周波数多重方式ではなく、例えば映像信号の水平ブランキング期間に音声信号のＰＡＭ変調信号を重畳するとか、映像信号の垂直ブランキング期間内に、１フィールド時間分の音声信号を時間圧縮して重畳する等、その他種々の多重方式を採用することができる。」（５頁右欄９行ないし１７行）、
　上記の記載によれば、引用刊行物２には、
「撮影した映像を表示するモニタ表示部３００と、音声を入出力するハンドセット２１３と親電話機２００とを備える親機と、カメラドアホン子機１００を有する子機と、前記親器と前記子機との間で信号線５を介して信号の送受信を行うドアホン装置において、前記親器のモニタ表示装置３００では、子機から送信されてくる映像信号とＦＭ音声信号が周波数多重された信号からローパスフィルタ３０１によって映像信号を抽出し、表示部３０２に供給するとともに、映像信号検出回路３０３に供給し、映像信号検出回路３０３では映像信号中の同期信号を検出することにより映像信号の有無を判別して表示部３０２の起動制御を行うドアホン装置。」の発明（以下、「引用刊行物２に記載された発明」という。）が開示されているものと認められる。
　
４．対比
（１）対比
　本件特許発明と引用刊行物１に記載された発明とを対比すると、
　ａ）引用刊行物１に記載された発明における「モニタテレビ９」、「ハンドセット８」、「モニタ親機１０」、「テレビ通話装置」は、それぞれ、本件特許発明の「映像表示部」、「音声入出力部」、「親機」、「ドアホン装置」に相当する。
　ｂ）引用刊行物１に記載された発明の「カメラ付子機１が接続される端子Ｔ１」、「カメラ付子機２が接続可能な端子Ｔ２」、「カメラなし子機３が接続可能な端子Ｔ３」と、本件特許発明の「カメラ付き子機またはカメラ無し子機のいずれもが接続可能な端子」とは「子機が接続可能な端子」で一致する。
　ｃ）引用刊行物１に記載された発明の「モニタ親機１０に、端子Ｔ２にカメラ付子機２が接続されたことを検出する接続状態検出回路１１と、端子Ｔ３にカメラなし子機２が接続されたことを検出する接続状態検出回路１２」と、本件特許発明の「カメラ付き子機またはカメラ無し子機のいずれもが接続可能な端子を介して子機から送信されてくる多重信号を多重分離回路によって分離して得られるＦＭ変調信号を入力され該ＦＭ変調信号の搬送波成分を検出するカメラ有無判別回路」とは、「端子に子機が接続されたことを判別する回路」である点で一致する。
　したがって、両者は、以下の点で一致ないし相違する。
　
（２）一致点
　「撮影した映像を表示する映像表示部と音声を入出力する音声入出力部とを備えて成る親機と、カメラ付き子機またはカメラ無し子機の少なくとも一方を有して成り、親機と子機との間で信号の送受信を行うドアホン装置において、前記親機に子機が接続可能な端子と、該端子に子機が接続されたことを判別する回路を設けたドアホン装置。」
　
（３）相違点
　ａ）子機が接続可能な端子に関して、本件特許発明の端子は、カメラ付き子機またはカメラ無し子機のいずれもが接続可能な端子であるのに対して、引用刊行物１に記載された発明の端子は、そのような端子でない点。
　ｂ）本件特許発明は、親機に、カメラ付き子機またはカメラ無し子機のいずれもが接続可能な端子を介して子機から送信されてくる多重信号を多重分離回路によって分離して得られるＦＭ変調信号を入力され該ＦＭ変調信号の搬送波成分を検出するカメラ有無判別回路を付加し、・・・カメラ付き子機は、映像信号を変調してＦＭ変調信号として親機に送信し、親機は、前記カメラ有無判別回路において、子機から出力されるＦＭ変調信号の搬送波成分を検出することにより、子機がカメラ付きか否かを判別するものであるのに対して、引用刊行物１に記載された発明は、モニタ親機１０に、端子Ｔ２にカメラ付子機２が接続されたことを検出する接続状態検出回路１１と、端子Ｔ３にカメラなし子機２が接続されたことを検出する接続状態検出回路１２を設けることにより、子機２、３が接続されたことを検出するものである点。
　
５．検討
　そこで、相違点ａ）、ｂ）について検討するに、
　引用刊行物２には「親器のモニタ表示装置３００」において「子機から送信されてくる映像信号とＦＭ音声信号が周波数多重された信号からローパスフィルタ３０１によって映像信号を抽出し、表示部３０２に供給するとともに、映像信号検出回路３０３に供給し、映像信号検出回路３０３では映像信号中の同期信号を検出することにより映像信号の有無を判別」する技術の開示が認められる。しかしながら、この技術は、引用刊行物２に「また、モニタ表示装置は、映像信号の有無を検出することにより、表示部の動作制御を行うようにしているので、これらの制御のための別個の制御信号の授受を必要とせず、このため、カメラドアホン子機及びモニタ表示装置に、マイコン等を搭載する制御回路が不要となり、その分、低価格になる効果もある。」（５頁右欄６行ないし４頁左欄１行）、「親電話機２００において待機ボタン２１２を押す。あるいは子電話機２２０において待機ボタンを押す。すると、制御回路２０５では、ＦＭ変調回路２０８の動作停止させる。すると、下り音声信号が存在しなくなるため下り音声信号検出回路１１０では下り音声信号の検出がなくなり、このため、ＦＭ変調回路の動作が停止されるとともに、ビデオカメラ１０１及びカメラ回路の動作が停止される。こうして、上り音声信号と映像信号が存在しなくなるので装置は、テレビドアホン機能を停止し、待機状態になる。」（５頁左欄２９行ないし３８行）、「次に親電話機２００を介して、局線通話状態になっているときに、ドアホン呼び出しがあったときには、前述したように、カメラドアホン子機１００のＦＭ変調回路が起動し、・・・・したがって、下り音声が信号が発生して、ビデオカメラ１０１及びカメラ回路１０２を起動するので、カメラドアホン子機１００は映像信号を信号線５に送出する。したがって、局線通話中においてもモニタ表示装置３００において、訪問者のテレビモニタできる。」（５頁左欄３９行ないし右欄２行）の記載があるように、「表示部の動作制御」を行うようするためのものであって「カメラ有無」を「判別」する技術ではないから、引用刊行物１に開示された発明に適用しても本件特許発明を構成することはできないというべきである。
　また、ドアホン装置の技術分野において、親機に「カメラ付き子機またはカメラ無し子機のいずれもが接続可能な端子」を備え、「親機に、カメラ付き子機またはカメラ無し子機のいずれもが接続可能な端子を介して子機から送信されてくる多重信号を多重分離回路によって分離して得られるＦＭ変調信号を入力され該ＦＭ変調信号の搬送波成分を検出するカメラ有無判別回路を付加」することが周知・慣用であるともいえない。
　
６．まとめ
　したがって、本件特許発明は、引用刊行物１、２に記載された発明から当業者であれば容易に発明をすることができたものとはいえない。
　
第４．むすび
　以上のとおりであるから、特許異議申し立ての理由及び証拠によっては、本件請求項３に係る発明の特許を取り消すことはできない。
　また、他に本件請求項３に係る特許を取り消すべき理由を発見できない。
　よって、結論のとおり決定する。
【異議決定日】
平成１６年１１月９日（２００４．１１．９）
【訂正の要旨】
審決（決定）の【理由】欄参照。
（５４）【発明の名称】
ドアホン装置
（５７）【特許請求の範囲】
　【請求項１】　撮影した映像を表示する映像表示部と音声を入出力する音声入出力部とを備えて成る親機と、カメラ付き子機またはカメラ無し子機の少なくとも一方を有して成り、親機と子機との間で信号の送受信を行うドアホン装置において、前記映像表示部と音声入出力部とを備えた親機に、子機がカメラ付きか否かを判別するカメラ有無判別回路を付加し、該カメラ有無判別回路の出力に基づいて前記映像表示部を動作させるようにしたドアホン装置であり、子機の押し釦押下時の親機と子機間の接続端子電圧を、カメラ付き子機とカメラ無し子機とで電圧差が生じるように設定した呼出信号発生回路を、前記子機に付加し、前記カメラ有無判別回路は、子機の押し釦押下時における親機と子機との間の接続端子電圧を検出することにより子機がカメラ付きか否かを判別するようにしたことを特徴とするドアホン装置。
　【請求項２】　撮影した映像を表示する映像表示部と音声を入出力する音声入出力部とを備えて成る親機と、カメラ付き子機またはカメラ無し子機の少なくとも一方を有して成り、親機と子機との間で信号の送受信を行うドアホン装置において、前記映像表示部と音声入出力部とを備えた親機に、子機がカメラ付きか否かを判別するカメラ有無判別回路を付加し、該カメラ有無判別回路の出力に基づいて前記映像表示部を動作させるようにしたドアホン装置であり、子機の押し釦押下前における待機時の親機と子機間の接続端子電圧を、カメラ付き子機とカメラ無し子機とで電圧差が生じるように設定した呼出信号発生回路を、前記子機に付加し、前記カメラ有無判別回路は、待機時における親機と子機との間の接続端子電圧を検出することにより子機がカメラ付きか否かを判別するようにしたことを特徴とするドアホン装置。
　【請求項３】　撮影した映像を表示する映像表示部と音声を入出力する音声入出力部とを備えて成る親機と、カメラ付き子機またはカメラ無し子機の少なくとも一方を有して成り、親機と子機との間で信号の送受信を行うドアホン装置において、前記映像表示部と音声入出力部とを備えた親機に、
カメラ付き子機またはカメラ無し子機のいずれもが接続可能な端子を介して子機から送信されてくる多重信号を多重分離回路によって分離して得られるＦＭ変調信号を入力され該ＦＭ変調信号の搬送波成分を検出する
　【請求項４】　撮影した映像を表示する映像表示部と音声を入出力する音声入出力部とを備えて成る親機と、カメラ付き子機またはカメラ無し子機の少なくとも一方を有して成り、親機と子機との間で信号の送受信を行うドアホン装置において、前記映像表示部と音声入出力部とを備えた親機に、子機がカメラ付きか否かを判別するカメラ有無判別回路を付加し、該カメラ有無判別回路の出力に基づいて前記映像表示部を動作させるようにしたドアホン装置であり、カメラ付き子機は、映像信号をベースバンドで親機に送信し、親機は、映像ベースバンド信号の水平同期成分を検出することにより、子機がカメラ付きか否かを判別するようにしたことを特徴とするドアホン装置。
　【請求項５】　撮影した映像を表示する映像表示部と音声を入出力する音声入出力部とを備えて成る親機と、カメラ付き子機またはカメラ無し子機の少なくとも一方を有して成り、親機と子機との間で信号の送受信を行うドアホン装置において、前記映像表示部と音声入出力部とを備えた親機に、子機がカメラ付きか否かを判別するカメラ有無判別回路を付加し、該カメラ有無判別回路の出力に基づいて前記映像表示部を動作させるようにしたドアホン装置であり、前記カメラ有無判別回路は、子機の押し釦押下後の前記子機動作時における親機より子機への電源供給が定電流の場合、親機と子機との間の接続端子電圧を検出することにより子機がカメラ付きか否かを判別するようにしたことを特徴とするドアホン装置。
【発明の詳細な説明】
　【０００１】
　【発明の属する技術分野】本発明は、玄関等に設置される子機と居室内に設置される親機との間で、信号の送受信を行うドアホン装置に関するものである。
　【０００２】
　【従来の技術】図１３は、従来例に係るドアホン装置を示す全体構成図である。玄関等に設置されるカメラ付き子機１ａ及びカメラ無し子機１ｂは、各々ケーブルＣａ１，Ｃａ２と、端子Ｔを介して、建物の居室等に設置される親機２に接続されている。
　【０００３】図１４は、従来例に係るカメラ付き子機１ａのブロック図である。カメラ付き子機１ａは、ダイオードブリッジ１０１と、電源回路１０２と、押し釦１０３と、呼出信号発生回路１０４と、カメラユニット１０５と、変調器１０６と、マイク１０７と、スピーカ１０８と、音声送受話回路１０９と、多重分離回路１１０と端子Ｔとを有して成る。ここで、ダイオードブリッジ１０１は、親機２との接続を無極性にするものである。電源回路１０２は、多重分離回路１１０で分離された直流電源を、自己の各回路に供給するものである。呼出信号発生回路１０４は、来客が押し釦１０３を操作することにより来客の存在を建物の住人に知らせる呼出信号を多重分離回路１１０に送信するものである。カメラユニット１０５は、来客の画像を撮影して映像信号として変調器１０６に送信するものである。変調器１０６は、入力された映像信号を変調して映像変調信号として多重分離回路１１０に送信するものである。マイク１０７は、来客の音声を音声信号として音声送受話回路１０９に送信するものである。スピーカ１０８は、親機２から音声送受話回路１０９を介して入力された音声信号を音声として再生するものである。音声送受話回路１０９は、マイク１０７から入力された音声信号を増幅して多重分離回路１１０に送信するとともに、親機２から送信されてきた音声信号を増幅してスピーカ１０８に送信するものである。多重分離回路１１０は、ケーブルＣａ１中の信号に、映像変調信号，音声信号，呼出信号を多重化して親機２に送信するとともに、親機２から多重化して送信されてきた音声信号や直流電源を分離して、音声送受話回路１０９や電源回路１０２に送信するものである。
　【０００４】図１５は、従来例に係るカメラ無し子機１ｂのブロック図である。カメラ無し子機１ｂは、図１４に示すカメラ付き子機１ａにおいて、カメラユニット１０５及び変調器１０６が無い構成である。
　【０００５】図１６は、従来例に係る親機２のブロック図である。親機２は、電源回路２０１と、多重分離回路２０２と、復調器２０３と、モニタユニット２０４と、音声送受話回路２０５と、ハンドセット２０６と、呼出信号検出回路２０７と、ＣＰＵ２０８と、呼出音発生回路２０９と、スピーカ２１０と、スイッチＳＷ１，ＳＷ２，ＳＷ３と、端子Ｔとを有して成る。ここで、電源回路２０１は、商用電源に接続され、親機２の各回路が動作するための直流電源を供給するとともに、ケーブルＣａ１，Ｃａ２を介して、カメラ付き子機１ａ及びカメラ無し子機１ｂにも直流電源を供給するものである。多重分離回路２０２は、カメラ付き子機１ａ及びカメラ無し子機１ｂから多重化して送信されてきた信号を分離して、各々の回路に送信するとともに、ケーブルＣａ１，Ｃａ２中の信号に、音声送受話回路２０５からの音声信号を多重化してカメラ付き子機１ａ及びカメラ無し１ｂに送信するものである。復調器２０３は、多重分離回路２０２から入力された映像変調信号を復調して映像信号としてモニタユニット２０４に送信するものである。モニタユニット２０４は、復調器２０３から入力された映像信号を画像表示するものである。音声送受話回路２０５は、多重分離回路２０２で分離されたカメラ付き子機１ａ及びカメラ無し子機１ｂからの音声信号を受信してハンドセット２０６に送信するとともに、ハンドセット２０６からの音声信号を増幅して多重分離回路２０２に送信するものである。ハンドセット２０６は、音声送受話回路２０５から入力された音声信号を音声として再生するとともに、住人等の音声を音声信号として音声送受話回路２０５に送信するものである。呼出信号検出回路２０７は、多重分離回路２０２で分離された呼出信号を検出して、ＣＰＵ２０８に送信するものである。ＣＰＵ２０８は、呼出信号を検出した呼出信号検出回路２０７に基づいて、カメラ付き子機１ａ及びカメラ無し子機１ｂの切替えのためのスイッチＳＷ１，ＳＷ２及び動作時の直流電源を供給するためのスイッチＳＷ３を切替えるとともに、モニタユニット２０４のＯＮ／ＯＦＦの制御を行うものである。また、呼出音発生回路２０９を有効にし、呼出音を発生させて、スピーカ２１０により鳴動させるものである。
　【０００６】
　【発明が解決しようとする課題】ところが、上述のような構成のドアホン装置においては、カメラ付き子機１ａまたはカメラ無し子機１ｂを親機２に接続する場合に、親機２の各々の専用の端子Ｔと接続しなければならないため、誤施工が生じやすいという問題があった。
　【０００７】また、親機２におけるカメラ付き子機１ａ，カメラ無し子機１ｂとの接続に必要な端子Ｔの数は、例えば、接続可能な台数を３台とした場合には、カメラ付き子機１ａが３台，カメラ付き子機１ａが２台とカメラ無し子機１ｂが１台，カメラ付き子機１ａが１台とカメラ無し子機１ｂが２台の接続の全てに対応するように、５対の端子Ｔを準備しておかなければならないという問題があった。
　【０００８】本発明は、上記の点に鑑みて成されたものであり、その目的とするところは、施工性がよく、かつ、親機において、子機を接続するための端子数を最小にすることのできるドアホン装置を提供することにある。
　【０００９】
　【課題を解決するための手段】請求項１記載の発明は、撮影した映像を表示する映像表示部と音声を入出力する音声入出力部とを備えて成る親機と、カメラ付き子機またはカメラ無し子機の少なくとも一方を有して成り、親機と子機との間で信号の送受信を行うドアホン装置において、前記映像表示部と音声入出力部とを備えた親機に、子機がカメラ付きか否かを判別するカメラ有無判別回路を付加し、該カメラ有無判別回路の出力に基づいて前記映像表示部を動作させるようにしたドアホン装置であり、子機の押し釦押下時の親機と子機間の接続端子電圧を、カメラ付き子機とカメラ無し子機とで電圧差が生じるように設定した呼出信号発生回路を、前記子機に付加し、前記カメラ有無判別回路は、子機の押し釦押下時における親機と子機との間の接続端子電圧を検出することにより子機がカメラ付きか否かを判別するようにしたことを特徴とするものである。
　【００１０】請求項２記載の発明は、撮影した映像を表示する映像表示部と音声を入出力する音声入出力部とを備えて成る親機と、カメラ付き子機またはカメラ無し子機の少なくとも一方を有して成り、親機と子機との間で信号の送受信を行うドアホン装置において、前記映像表示部と音声入出力部とを備えた親機に、子機がカメラ付きか否かを判別するカメラ有無判別回路を付加し、該カメラ有無判別回路の出力に基づいて前記映像表示部を動作させるようにしたドアホン装置であり、子機の押し釦押下前における待機時の親機と子機間の接続端子電圧を、カメラ付き子機とカメラ無し子機とで電圧差が生じるように設定した呼出信号発生回路を、前記子機に付加し、前記カメラ有無判別回路は、待機時における親機と子機との間の接続端子電圧を検出することにより子機がカメラ付きか否かを判別するようにしたことを特徴とするものである。
　【００１１】請求項３記載の発明は、撮影した映像を表示する映像表示部と音声を入出力する音声入出力部とを備えて成る親機と、カメラ付き子機またはカメラ無し子機の少なくとも一方を有して成り、親機と子機との間で信号の送受信を行うドアホン装置において、前記映像表示部と音声入出力部とを備えた親機に、
カメラ付き子機またはカメラ無し子機のいずれもが接続可能な端子を介して子機から送信されてくる多重信号を多重分離回路によって分離して得られるＦＭ変調信号を入力され該ＦＭ変調信号の搬送波成分を検出する
　【００１２】請求項４記載の発明は、撮影した映像を表示する映像表示部と音声を入出力する音声入出力部とを備えて成る親機と、カメラ付き子機またはカメラ無し子機の少なくとも一方を有して成り、親機と子機との間で信号の送受信を行うドアホン装置において、前記映像表示部と音声入出力部とを備えた親機に、子機がカメラ付きか否かを判別するカメラ有無判別回路を付加し、該カメラ有無判別回路の出力に基づいて前記映像表示部を動作させるようにしたドアホン装置であり、カメラ付き子機は、映像信号をベースバンドで親機に送信し、親機は、映像ベースバンド信号の水平同期成分を検出することにより、子機がカメラ付きか否かを判別するようにしたことを特徴とするものである。
　【００１３】請求項５記載の発明は、撮影した映像を表示する映像表示部と音声を入出力する音声入出力部とを備えて成る親機と、カメラ付き子機またはカメラ無し子機の少なくとも一方を有して成り、親機と子機との間で信号の送受信を行うドアホン装置において、前記映像表示部と音声入出力部とを備えた親機に、子機がカメラ付きか否かを判別するカメラ有無判別回路を付加し、該カメラ有無判別回路の出力に基づいて前記映像表示部を動作させるようにしたドアホン装置であり、前記カメラ有無判別回路は、子機の押し釦押下後の前記子機動作時における親機より子機への電源供給が定電流の場合、親機と子機との間の接続端子電圧を検出することにより子機がカメラ付きか否かを判別するようにしたことを特徴とするものである。
　【００１４】
　【００１５】
　【００１６】
　【００１７】
　【００１８】
　【発明の実施の形態】
＝実施形態１＝
以下、本発明の一実施形態について図面に基づき説明する。図１は、本発明の一実施形態に係るドアホン装置の親機２を示すブロック図である。なお、カメラ付き子機１ａ，カメラ無し子機１ｂの構成は、従来例として図１４，図１５に示した構成と同じであるので、ここでは説明を省略する。また、親機２においても、従来例として図１６に示した箇所に対して同一の箇所については同一符号を付して説明を省略する。カメラ有無判別回路２１１は、多重分離回路２０２で分離された信号に基づいて、カメラ付き子機１ａまたはカメラ無し子機１ｂのどちらの呼び出しがあったかを判別し、ＣＰＵ２０８に対して出力するものである。
　【００１９】図２は、本実施形態に係るカメラ有無判別回路２１１の一例を示す回路図である。カメラ有無判別回路２１１は、電流検出回路２１１ａと、抵抗Ｒ１〜Ｒ３と、コンパレータＣＭ１，ＣＭ２とで構成されている。電流検出回路２１１ａは、カメラ付き子機１ａ，カメラ無し子機１ｂの消費電流に応じた電圧値を、コンパレータＣＭ１，ＣＭ２の入力側の正の端子に出力するものである。コンパレータＣＭ１の入力側の負の端子には、基準電圧を抵抗Ｒ１と抵抗Ｒ２＋Ｒ３とで分圧された電圧が入力され、コンパレータＣＭ２の入力側の負の端子には、基準電圧を抵抗Ｒ１＋Ｒ２と抵抗Ｒ３とで分圧された電圧が入力される。
　【００２０】以下、本実施形態の動作について図面に基づき説明する。カメラ付き子機１ａまたはカメラ無し子機１ｂにおいて、押し釦１０３が押下されると、呼出信号検出回路２０７で来客を検出し、ＣＰＵ２０８は、スイッチＳＷ３をＯＮ状態にし、親機２は来客があったカメラ付き子機１ａまたはカメラ無し子機１ｂに対して、各回路が動作するための直流電源を供給する。なお、来客がない場合は、押し釦１０３が押下されたことを検出するための小さな直流電源しか供給されていない。
　【００２１】ここで、電流検出回路２１１ａは、カメラ付き子機１ａまたはカメラ無し子機１ｂで消費された電流に基づいて、所定の電圧をコンパレータＣＭ１，ＣＭ２の入力側の正の端子に対して印加する。なお、カメラ付き子機１ａ及びカメラ無し子機１ｂの消費電流には、「子機未接続＜カメラ無し子機１ｂ＜カメラ付き子機１ａ」という関係がある。
　【００２２】図３は、本実施形態に係るコンパレータＣＭ１，ＣＭ２の出力状態の一例を示すテーブルである。端子Ｔに何も接続されていない（未接続）時には、電流検出回路２１１ａは、所定の電圧を印加しないので、コンパレータＣＭ１，ＣＭ２の出力Ｘ，Ｙは、共にＬＯＷとなる。カメラ無し子機１ｂの押し釦１０３が押下されたときには、電流検出回路２１１ａは、コンパレータＣＭ１の基準電圧より低く、コンパレータＣＭ２の基準電圧より高い電圧をコンパレータＣＭ１，ＣＭ２の入力側の正の端子に印加する。すると、コンパレータＣＭ１の出力ＸはＬＯＷとなり、コンパレータＣＭ２の出力ＹはＨＩＧＨとなる。カメラ付き子機１ａの押し釦１０３が押下されたときには、電流検出回路２１１ａは、コンパレータＣＭ１，ＣＭ２の基準電圧よりも高い電圧を、コンパレータＣＭ１，ＣＭ２の入力側の正の端子に印加し、その時、コンパレータＣＭ１，ＣＭ２の出力Ｘ，Ｙは共にＨＩＧＨとなる。そして、ＣＰＵ２０８は、コンパレータＣＭ１，ＣＭ２からの出力Ｘ，Ｙに基づいて、モニタユニット２０４のＯＮ及びスイッチＳＷ１，ＳＷ２の操作を行う。
　【００２３】従って、本実施形態においては、コンパレータＣＭ１，ＣＭ２からの出力Ｘ，ＹをＣＰＵ２０８で検出することにより、親機２は、カメラ付き子機１ａ，カメラ無し子機１ｂのどちらの押し釦１０３が押下されたかを判別することができる。
　【００２４】＝実施形態２＝
図４は、本発明の他の実施形態に係るドアホン装置の親機２を示すブロック図である。本実施例に係る親機２の構成は、従来例として図１６に示した親機２において、電源回路２０１と多重分離回路２０２との間に、カメラ有無判別回路２１１及び抵抗Ｒ４を直列に接続した構成である。なお、カメラ付き子機１ａ及びカメラ無し子機１ｂの構成は、従来例として図１４，図１５に示したカメラ付き子機１ａ，カメラ無し子機１ｂと同じ構成である。
　【００２５】図５は、本実施形態に係る親機２，カメラ付き子機１ａ及びカメラ無し子機１ｂの一部を示す部分ブロック図である。本実施形態に係るカメラ有無判別回路２１１は、図２に示すカメラ有無判別回路２１１において、電流検出回路２１１ａを取り除いた構成である。
カメラ付き子機１ａ及びカメラ無し子機１ｂの呼出信号発生回路１０４は、抵抗Ｒ５を有して成り、抵抗Ｒ５は、押し釦１０３と多重分離回路１１０との間に直列に接続されている。
　【００２６】以下、本実施形態の動作について図面に基づき説明する。待機時のカメラ付き子機１ａ及びカメラ無し子機１ｂは、親機２の電源回路２０１より待機時用の電圧Ｖ１（ａ点）が供給されている。そして、押し釦１０３が押下されると、ｂ点の電圧ＶＬは、電圧Ｖ１−２Ｖｆ（２Ｖｆはブリッジダイオード１０１の順方向電圧）を抵抗Ｒ４と抵抗Ｒ５とで分圧された値となる。ここで、例えば、抵抗Ｒ５の抵抗値を、「カメラ無し子機１ｂの抵抗値＜カメラ付き子機１ａの抵抗値」となるような抵抗を用いれば、カメラ付き子機１ａ，カメラ無し子機１ｂの種類により、電圧ＶＬは、「カメラ無し子機１ｂ接続時の電圧ＶＬ＜カメラ付き子機１ａ接続時の電圧ＶＬ」となる。
　【００２７】従って、実施形態１と同様に、ＣＰＵ２０８は、コンパレータＣＭ１，ＣＭ２の出力Ｘ，Ｙにより、カメラ付き子機１ａ，カメラ無し子機１ｂのどちらの押し釦１０３が押下されたかを判別することができる。
　【００２８】＝実施形態３＝
図６は、本発明の他の実施形態に係る親機２，カメラ付き子機１ａ及びカメラ無し子機１ｂの一部を示す部分ブロック図である。なお、本実施形態に係る親機２の構成は、図４に示す親機２の構成と同じであり、カメラ付き子機１ａ及びカメラ無し子機１ｂの構成は、従来例として図１４，図１５に示すカメラ付き子機１ａ，カメラ無し子機１ｂの構成と同じである。また、本実施形態に係るカメラ有無判別回路２１１の構成は、図５に示すカメラ有無判別回路２１１と同じ構成である。本実施形態に係る呼出信号発生回路１０４は、図５に示す呼出信号発生回路１０４において、押し釦１０３に並列に抵抗Ｒ６を接続した構成である。
　【００２９】以下、本実施形態の動作について図面に基づき説明する。待機時のカメラ付き子機１ａ及びカメラ無し子機１ｂは、親機２の電源回路２０１より待機時用の電圧Ｖ１（ａ点）が供給されている。この時、ｂ点の電圧ＶＬは、電圧Ｖ１を抵抗Ｒ４と抵抗（Ｒ５＋Ｒ６）で分圧された値となる。ここで、抵抗Ｒ６の値を、「カメラ無し子機１ｂの抵抗Ｒ６＜カメラ付き子機１ａの抵抗Ｒ６」と設定しておけば、カメラ付き子機１ａ，カメラ無し子機１ｂの種類により、電圧ＶＬは、「カメラ無し子機１ｂ接続時の電圧ＶＬ＜カメラ付き子機１ａ接続時の電圧ＶＬ」となる。
　【００３０】従って、実施形態１，２と同様に、ＣＰＵ２０８は、コンパレータＣＭ１，ＣＭ２の出力Ｘ，Ｙにより、カメラ付き子機１ａ，カメラ無し子機１ｂのどちらの押し釦１０３が押下されたかを判別することができる。
　【００３１】＝実施形態４＝
図７は、本発明の他の実施形態に係るカメラ付き子機１ａ，カメラ無し子機１ｂによる図４に示す親機２のｂ点における電圧特性図である。カメラ付き子機１ａまたはカメラ無し子機１ｂの押し釦１０３が押下されると、親機２のスイッチＳＷ３がＯＮ状態となり、電源回路２０１からカメラ付き子機１ａまたはカメラ無し子機１ｂに対して定電流が供給され、動作状態となる。ここで、カメラ無し子機１ｂはカメラ付き子機１ａに比べてカメラユニット１０５の消費電流が少ないため、端子Ｔに生ずる電圧ＶＬは上昇し、「カメラ付き子機１ａ接続時の端子Ｔの電圧ＶＬ＜カメラ無し子機１ｂ接続時の端子Ｔの電圧ＶＬ」となりＣＰＵ２０８は、コンパレータＣＭ１，ＣＭ２の出力Ｘ，Ｙにより、端子Ｔに接続されている子機がカメラ無し子機１ｂかカメラ付き子機１ａかを判別することができる。
　【００３２】＝実施形態５＝
図８は、本発明の他の実施形態に係るカメラ有無判別回路２１１を示すブロック図である。なお、本実施形態に係る親機２の構成は、図４に示す親機２の構成と同じであり、カメラ付き子機１ａ及びカメラ無し子機１ｂの構成は、従来例として図１４，図１５に示すカメラ付き子機１ａ，カメラ無し子機１ｂの構成と同じである。本実施形態に係るカメラ有無判別回路２１１は、バンドパスフィルター２１１ｂとピーク検波回路２１１ｃとを有して成る。
　【００３３】本実施形態においては、例えば、カメラ付き子機１ａから出力される映像信号がＦＭ変調の場合には、ＦＭ変調信号の搬送波成分をバンドパスフィルター２１１ｂで抽出し、ピーク検波回路２１１ｃにより映像信号の有無を検出することによりカメラ付き子機１ａか否かの判別がされ、また、カメラ付き子機１ａから出力される映像信号がベースバンドの場合には、映像ベースバンド信号の水平同期成分をバンドパスフィルター２１１ｂで抽出し、ピーク検波回路２１１ｃにより映像信号の有無を検出することにより、カメラ付き子機１ａか否かの判別がされ、実施形態１〜４と同様の動作が行われる。
　【００３４】＝実施形態６＝
図９は、本発明の他の実施形態に係る呼出信号検出回路２０７を示す回路図であり、図１０は、本実施形態に係る呼出信号発生回路１０４を示す回路図である。なお、本実施形態に係る親機２の構成は、図４に示す親機２の構成と同じであり、カメラ付き子機１ａ及びカメラ無し子機１ｂの構成は、従来例として図１４，図１５に示すカメラ付き子機１ａ，カメラ無し子機１ｂの構成と同じである。本実施形態の特徴は、端子Ｔにカメラ付き子機１ａを接続しても待機時から２回目以降の再呼び出しにおいて、親機２のモニタユニット２０４の映像途切れを防止するものであり、本実施形態においては、２回目以降の再呼び出しを電流の変化により検出するものである。親機２の呼出信号検出回路２０７は、第１回目の押し釦検出回路２０７ａと第２回目の押し釦検出回路２０７ｂとを有して成る。
　【００３５】押し釦検出回路２０７ａは、ＰＮＰトランジスタＱ１と、ＮＰＮトランジスタＱ２と、抵抗Ｒ９〜Ｒ１１とで構成されている。押し釦検出回路２０７ｂは、電流検出回路２０７ｂ’と、抵抗Ｒ７，Ｒ８と、コンパレータＣＭ３とで構成されている。電流検出回路２０７ｂ’は、カメラ付き子機１ａ，カメラ無し子機１ｂの消費電流に応じた電圧値を、コンパレータＣＭ３の入力側の正の端子に出力するものである。コンパレータＣＭ３の入力側の負の端子には、基準電圧を抵抗Ｒ７と抵抗Ｒ８とで分圧された電圧が入力される。
　【００３６】そして、呼出信号発生回路２０４は、ＮＰＮトランジスタＱ３〜Ｑ５と、抵抗Ｒ１２〜Ｒ２０と、ツェナーダイオードＺＤ１と、ダイオードＤ１と定電流源Ｉ１とで構成されている。
　【００３７】カメラ付き子機１ａにおいて、第１回目の押し釦１０３が押下されると、ＮＰＮトランジスタＱ３がオンになり、端子Ｔが抵抗Ｒ１２を介して短絡状態となる。これを受けてＰＮＰトランジスタＱ１がＮＰＮトランジスタＱ２のコレクタよりＣＰＵ２０８へ伝達され、ＣＰＵ２０８によりスイッチＳＷ３がオンとなり、カメラ付き子機１ａへの電源供給が開始され動作状態となる。ここで、カメラ付き子機１ａへの供給電圧は、「待機時＜動作時（待機時の約２倍）」に設定し、ツェナーダイオードＺＤ１の値は、待機時供給電圧と動作時供給電圧との中間に設定してある。カメラ付き子機１ａが動作状態になると、子機１ａへの供給電圧は、「待機時＜動作時（待機時の約２倍）」に設定し、ツェナーダイオードＺＤ１が動作してＮＰＮトランジスタＱ４がオンとなるため、ＮＰＮトランジスタＱ３はオフとなり、逆に定電流源Ｉ１は動作状態となる。同時に、モニタユニット２０４も動作状態になりカメラユニット１０５で撮影された映像を映す。第２回目以降の押し釦１０３の押下は、ＮＰＮトランジスタＱ５がオンとなり、定電流源Ｉ１の消費電流分増加する。この電流は電流検出回路２０７ｂ’で電流−電圧変換された後、コンパレータＣＭ３で押し釦１０３の押下であることが検出される。ここでの伝達手段として電流変化を用いているため、第２回目以降の押し釦１０３の押下によるモニタユニット２０４の映像が途切れることはない。
　【００３８】＝実施形態７＝
図１１は、本発明の他の実施形態に係る呼出信号検出回路２０７を示す回路図であり、図１２は、本実施形態に係る呼出信号発生回路１０４を示す回路図である。なお、本実施形態に係る親機２の構成は、図４に示す親機２の構成と同じであり、カメラ付き子機１ａ及びカメラ無し子機１ｂの構成は、従来例として図１４，図１５に示すカメラ付き子機１ａ，カメラ無し子機１ｂの構成と同じである。本実施形態の特徴は、端子Ｔにカメラ付き子機１ａを接続しても待機時から２回目以降の再呼び出しにおいて、親機２のモニタユニット２０４の映像途切れを防止するものであり、本実施形態においては、２回目以降の再呼び出しを電圧の変化により検出するものである。親機２の呼出信号検出回路２０７は、第１回目の押し釦検出回路２０７ａと第２回目の押し釦検出回路２０７ｂとを有して成る。押し釦検出回路２０７ａは、ＰＮＰトランジスタＱ６と、ＮＰＮトランジスタＱ７と、抵抗Ｒ２１〜Ｒ２３と、ツェナーダイオードＺＤ２とで構成され、押し釦検出回路２０７ｂは、コンパレータＣＭ４と、抵抗Ｒ２４〜Ｒ２７とで構成され、呼出信号発生回路１０４は、ＮＰＮトランジスタＱ８〜Ｑ１０と、抵抗Ｒ２８〜Ｒ３５と、ツェナーダイオードＺＤ３とで構成されている。
　【００３９】カメラ付き子機１ａにおいて、第１回目の押し釦１０３が押下されると、ＮＰＮトランジスタＱ８がオンとなり、端子Ｔが抵抗Ｒ２８を介して短絡状態となる。これを受けてＰＮＰトランジスタＱ６がオンになり、ＮＰＮトランジスタＱ７のコレクタよりＣＰＵ２０８へ伝達され、ＣＰＵ２０８によりスイッチＳＷ３がオンとなり、カメラ付き子機１ａへの電源供給が開始され動作状態となる。カメラ付き子機１ａへの供給電圧は、「待機時＜動作時（待機時の約２倍）」に設定し、また、ツェナーダイオードＺＤ２，ＺＤ３の値は、待機時供給電圧と動作時供給電圧との中間に設定されている。カメラ付き子機１ａが動作状態になると、ツェナーダイオードＺＤ３が動作しＮＰＮトランジスタＱ９がオンとなるため、ＮＰＮトランジスタＱ８がオフとなると同時に、モニタユニット２０４が動作状態になり、カメラユニット１０５で撮影された映像が映される。
　【００４０】第２回目以降の押し釦１０３の押下は、ＮＰＮトランジスタＱ１０がオンとなり、ｂ点の電圧ＶＬは抵抗Ｒ２７とＲ３４とで分圧された値となる。コンパレータＣＭ４は、ｂ点の電圧ＶＬの変化により押し釦１０３が押下されたことが検出される。ここで、抵抗Ｒ２７を小さな値に設定し、抵抗Ｒ３４を抵抗Ｒ２７に対して大きな値に設定しておけば、ｂ点の電圧ＶＬの変化量を微少にすることができ、第２回目以降の押し釦１０３の押下によるモニタユニット２０４の映像が途切れることがなくなる。
　【００４１】
　【発明の効果】請求項１乃至５記載の発明は、撮影した映像を表示する映像表示部と音声を入出力する音声入出力部とを備えて成る親機と、カメラ付き子機またはカメラ無し子機の少なくとも一方を有して成り、親機と子機との間で信号の送受信を行うドアホン装置において、前記映像表示部と音声入出力部とを備えた親機に、子機がカメラ付きか否かを判別するカメラ有無判別回路を付加し、カメラ有無判別回路の出力に基づいて映像表示部を動作させるようにしているので、親機にカメラ付き子機とカメラ無し子機との区別なく接続することができ、施工性がよく、かつ、親機において、子機を接続するための端子数を最少にすることのできるドアホン装置を提供することができた。
　【００４２】
　【００４３】請求項１記載の発明では、子機の押し釦押下時の親機と子機間の接続端子電圧を、カメラ付き子機とカメラ無し子機とで電圧差が生じるように設定した呼出信号発生回路を、子機に付加し、カメラ有無判別回路は、子機の押し釦押下時における親機と子機との間の接続端子電圧を検出することにより子機がカメラ付きか否かを判別するようにしているので、親機にカメラ付き子機とカメラ無し子機との区別なく接続することができる。
　【００４４】請求項２記載の発明では、子機の押し釦押下前における待機時の親機と子機間の接続端子電圧を、カメラ付き子機とカメラ無し子機とで電圧差が生じるように設定した呼出信号発生回路を子機に付加し、カメラ有無判別回路は、待機時における親機と子機との間の接続端子電圧を検出することにより子機がカメラ付きか否かを判別するようにしているので、親機にカメラ付き子機とカメラ無し子機との区別なく接続することができる。
　【００４５】請求項３記載の発明では、カメラ付き子機は、映像信号を変調してＦＭ変調信号として親機に送信し、親機はカメラ有無判別回路において、子機から出力されるＦＭ変調信号の搬送波成分を検出することにより、子機がカメラ付きか否かを判別するようにしているので、親機にカメラ付き子機とカメラ無し子機との区別なく接続することができる。
　【００４６】請求項４記載の発明では、カメラ付き子機は、映像信号をベースバンドで親機に送信し、親機は映像ベースバンド信号の水平同期成分を検出することにより、子機がカメラ付きか否かを判別するようにしているので、親機にカメラ付き子機とカメラ無し子機との区別なく接続することができる。
　【００４７】請求項５記載の発明では、カメラ有無判別回路は、子機の押し釦押下後の子機動作時における親機より子機への電源供給が定電流の場合、親機と子機との間の接続端子電圧を検出することにより子機がカメラ付きか否かを判別するようにしているので、親機にカメラ付き子機とカメラ無し子機との区別なく接続することができる。
　【００４８】
　【００４９】
【図面の簡単な説明】
　【図１】本発明の一実施形態に係るドアホン装置の親機を示すブロック図である。
　【図２】本実施形態に係るカメラ有無判別回路の一例を示す回路図である。
　【図３】本実施形態に係るコンパレータの出力状態の一例を示すテーブルである。
　【図４】本発明の他の実施形態に係るドアホン装置の親機を示すブロック図である。
　【図５】本実施形態に係る親機及び子機の一部を示す部分ブロック図である。
　【図６】本発明の他の実施形態に係る親機及び子機の一部を示す部分ブロック図である。
　【図７】本発明の他の実施形態に係るカメラ付き子機及びカメラ無し子機による図４に示す親機のｂ点における電圧特性図である。
　【図８】本発明の他の実施形態に係るカメラ有無判別回路を示すブロック図である。
　【図９】本発明の他の実施形態に係る呼出信号検出回路を示す回路図である。
　【図１０】本実施形態に係る呼出信号発生回路を示す回路図である。
　【図１１】本発明の他の実施形態に係る呼出信号検出回路を示す回路図である。
　【図１２】本実施形態に係る呼出信号発生回路を示す回路図である。
　【図１３】従来例に係るドアホン装置を示す全体構成図である。
　【図１４】従来例に係るカメラ付き子機のブロック図である。
　【図１５】従来例に係るカメラ無し子機のブロック図である。
　【図１６】従来例に係る親機のブロック図である。
　【符号の説明】
　１ａ　カメラ付き子機
　１ｂ　カメラなし子機
　２　親機
　１０１　ダイオードブリッジ
　１０２　電源回路
　１０３　押し釦
　１０４　呼出信号発生回路
　１０５　カメラユニット
　１０６　変調器
　１０７　マイク
　１０８　スピーカ
　１０９　音声送受話回路
　１１０　多重分離回路
　２０１　電源回路
　２０２　多重分離回路
　２０３　復調器
　２０４　モニタユニット
　２０５　音声送受話回路
　２０６　ハンドセット
　２０７　呼出信号検出回路
　２０７ａ，２０７ｂ　押し釦検出回路
　２０７ｂ’　電流検出回路
　２０８　ＣＰＵ
　２０９　呼出音発生回路
　２１０　スピーカ
　２１１　カメラ有無判別回路
　２１１ａ　電流検出回路
　２１１ｂ　バンドパスフィルター
　２１１ｃ　ピーク検波回路
　ＳＷ１〜ＳＷ３　スイッチ
　Ｔ　端子
　Ｃａ１，Ｃａ２　ケーブル
　ＣＭ１〜ＣＭ４　コンパレータ
　Ｒ１〜Ｒ３５　抵抗
　ＺＤ１〜ＺＤ３　ツェナーダイオード
　Ｄ１　ダイオード
　Ｑ１〜Ｑ１０　トランジスタ
　Ｉ１　定電流源